(57)【要約】【課題】  電気回路における湿潤による絶縁低下の箇所を容易に特定することが可能な絶縁低下箇所探索方法および装置を提供する。【解決手段】  絶縁低下箇所探索の対象となる電気回路Ａに向けて乾燥空気Ｋを吹付ける乾燥空気供給手段１０と、乾燥空気Ｋの吹付け時の電気回路Ａにおける乾燥空気Ｋの供給領域の絶縁性能を測定する絶縁性能測定手段１５と、絶縁性能測定手段１５による絶縁性能の測定結果に基づき単位時間当たりの乾燥空気Ｋの吹付け領域の絶縁性能の回復が所定値以上であるか否かを判定し、乾燥空気Ｋの吹付け領域の絶縁性能の回復が所定値以上である場合は、電気回路Ａにおける乾燥空気Ｋの吹付け領域が絶縁低下している箇所であることを特定する絶縁低下箇所特定手段１６と、を備える。【選択図】  図２
2014048261.tif 000002
【特許請求の範囲】
【請求項１】
絶縁低下箇所探索の対象となる電気回路に向けて乾燥空気を吹付ける乾燥空気供給工程と、
前記乾燥空気の吹付け時の前記電気回路における前記乾燥空気の吹付け供給領域の絶縁性能を測定する絶縁性能測定工程と、
前記絶縁性能測定工程による絶縁性能の測定結果に基づき単位時間当たりの前記乾燥空気の吹付け領域の絶縁性能の回復が所定値以上であるか否かを判定し、前記乾燥空気の吹付け領域の絶縁性能の回復が所定値以上である場合は、前記電気回路における前記乾燥空気の吹付け領域が絶縁低下している箇所であることを特定する絶縁低下箇所特定工程と、
を備えたことを特徴とする絶縁低下箇所探索方法。
【請求項２】
絶縁低下箇所探索の対象となる電気回路に向けて乾燥空気を吹付ける乾燥空気供給手段と、
前記乾燥空気の吹付け時の前記電気回路における前記乾燥空気の吹付け供給領域の絶縁性能を測定する絶縁性能測定手段と、
前記絶縁性能測定手段による絶縁性能の測定結果に基づき単位時間当たりの前記乾燥空気の吹付け領域の絶縁性能の回復が所定値以上であるか否かを判定し、前記乾燥空気の吹付け領域の絶縁性能の回復が所定値以上である場合は、前記電気回路における前記乾燥空気の吹付け領域が絶縁低下している箇所であることを特定する絶縁低下箇所特定手段と、
を備えたことを特徴とする絶縁低下箇所探索装置。
【請求項３】
前記乾燥空気供給手段は、電気ヒータを有するドライヤーから構成されており、前記乾燥空気の吹付け領域を拡大および縮小可能な吹出し口を有していることを特徴とする請求項２に記載の絶縁低下箇所探索装置。
【請求項４】
前記絶縁低下箇所特定手段には、前記乾燥空気供給手段によって前記乾燥空気が吹付けられる領域が絶縁低下している箇所であることを音声で知らせる音響部と、前記乾燥空気供給手段によって前記乾燥空気が吹付けられる領域が絶縁低下している箇所であることを外部に電気信号で出力する警報出力手段の、少なくともいずれかが接続されていることを特徴とする請求項２または３に記載の絶縁低下箇所探索装置。
【発明の詳細な説明】
【技術分野】
【０００１】
この発明は、湿潤によって絶縁抵抗が低下している電気回路の箇所を探索することが可能な絶縁低下箇所探索方法および装置に関する。
【背景技術】
【０００２】
電気供給事業者などの電気設備ついては、電気回路の絶縁性能が低下した場合、直流回路であれば地絡検出継電器が動作した警報が出力され、交流回路であれば漏電遮断器の動作などによって警報が出力される。また、漏電遮断器や地絡検出継電器が動作しない程度の絶縁低下の場合は、電気回路の定期点検時の絶縁抵抗測定によって絶縁性能が低下していることが判明することになる。このように電気回路の絶縁低下の警報出力や、定期点検などで電気回路の絶縁が低下していることが判明した場合、絶縁低下箇所を特定するために、電気回路を開閉器や端子台・ケーブルを切り離すなどして回路を分割し、分割した単位ごとに絶縁抵抗を測定することで、絶縁低下箇所を特定し、絶縁低下に対処することが一般的に行われている。
【０００３】
従来から電気機器の絶縁低下防止に関する技術の一例として、下記の技術が知られている（例えば、特許文献１参照。）。特許文献１の回転機器の絶縁低下防止方法では、回転子及び固定子をそれぞれヒーターシートで覆い、ヒーターシートで覆われた回転子及び固定子全体を防湿カバーで覆い、ヒーターシートに通電して、回転子および固定子を外気温より高い所定の温度に保つようにしている。
【先行技術文献】
【特許文献】
【０００４】
【特許文献１】特開２０１２−９５３８５号公報
【発明の概要】
【発明が解決しようとする課題】
【０００５】
しかし、従来の絶縁低下箇所の特定には下記の問題が存在する。
【０００６】
電気回路を分割して絶縁抵抗を測定する方法は、効果的な方法であるが、分割できる範囲を自由に設定することが困難であり、不具合箇所の特定には多くの時間を要するという問題がある。
【０００７】
絶縁低下箇所の特定は、電気回路への給電を停止し、停電状態で絶縁抵抗を測定することで探索が可能であるが、停電が困難な回路については、電気回路の分割ができないことから、不具合箇所の特定が困難になることが多い。
【０００８】
電気回路の絶縁低下の原因は、湿潤など絶縁物の表面漏抵抗が低下することによるものが多いが、目視による不具合箇所の特定は困難である。また、湿潤が原因となる電気回路の絶縁低下は、不具合箇所特定のための作業で配電盤や分電盤の扉を開放するため、徐々に不具合箇所の湿潤状態が解消して自然復帰する場合もあり、このような場合は不具合箇所が不明となるという問題がある。
【０００９】
そこで本発明は、電気回路における湿潤による絶縁低下の箇所を容易に特定することが可能な絶縁低下箇所探索方法および装置を提供することを目的とする。
【課題を解決するための手段】
【００１０】
上記目的を達成するために請求項１に記載の発明は、絶縁低下箇所探索の対象となる電気回路に向けて乾燥空気を吹付ける乾燥空気供給工程と、前記乾燥空気の吹付け時の前記電気回路における前記乾燥空気の吹付け供給領域の絶縁性能を測定する絶縁性能測定工程と、前記絶縁性能測定工程による絶縁性能の測定結果に基づき単位時間当たりの前記乾燥空気の吹付け領域の絶縁性能の回復が所定値以上であるか否かを判定し、前記乾燥空気の吹付け領域の絶縁性能の回復が所定値以上である場合は、前記電気回路における前記乾燥空気の吹付け領域が絶縁低下している箇所であることを特定する絶縁低下箇所特定工程と、を備えたことを特徴とする絶縁低下箇所探索方法である。
【００１１】
この発明によれば、絶縁低下箇所探索の対象となる電気回路に向けて乾燥空気が吹付けられている状態で、この電気回路における乾燥空気の吹付け領域の絶縁性能が測定される。そして、測定結果に基づき、単位時間当たりの乾燥空気の吹付け領域の絶縁性能の回復状況が判定され、絶縁性能の回復が所定値以上であれば、乾燥空気の吹付け領域が電気回路の絶縁低下している箇所であると特定される。
【００１２】
請求項２に記載の発明は、絶縁低下箇所探索の対象となる電気回路に向けて乾燥空気を吹付ける乾燥空気供給手段と、前記乾燥空気の吹付け時の前記電気回路における前記乾燥空気の吹付け供給領域の絶縁性能を測定する絶縁性能測定手段と、前記絶縁性能測定手段による絶縁性能の測定結果に基づき単位時間当たりの前記乾燥空気の吹付け領域の絶縁性能の回復が所定値以上であるか否かを判定し、前記乾燥空気の吹付け領域の絶縁性能の回復が所定値以上である場合は、前記電気回路における前記乾燥空気の吹付け領域が絶縁低下している箇所であることを特定する絶縁低下箇所特定手段と、を備えたことを特徴とする絶縁低下箇所探索装置である。
【００１３】
請求項３に記載の発明は、請求項２に記載の絶縁低下箇所探索装置において、前記乾燥空気供給手段は、電気ヒータを有するドライヤーから構成されており、前記乾燥空気の吹付け領域を拡大および縮小可能な吹出し口を有していることを特徴としている。
【００１４】
請求項４に記載の発明は、請求項２または３に記載の絶縁低下箇所探索装置において、前記絶縁低下箇所特定手段には、前記乾燥空気供給手段によって前記乾燥空気が吹付けられる領域が絶縁低下している箇所であることを音声で知らせる音響部と、前記乾燥空気供給手段によって前記乾燥空気が吹付けられる領域が絶縁低下している箇所であることを外部に電気信号で出力する警報出力手段の、少なくともいずれかが接続されていることを特徴としている。
【発明の効果】
【００１５】
請求項１に記載の発明によれば、絶縁低下箇所探索の対象となる電気回路における乾燥空気の吹付け領域の絶縁性能を測定結果に基づき、絶縁低下箇所の特定が可能となるので、電気回路を分割または停電させることなく、電気回路における湿潤による絶縁低下の箇所を容易に特定することができる。また、従来では、絶縁低下の箇所の特定に多くの時間を必要としたので、絶縁低下の箇所の探索中に湿潤状態が回復し、不具合箇所が不明となる場合が生じていたが、乾燥空気の吹付けにより直ちに絶縁低下の箇所の探索を開始することができ、不具合箇所を見つけやすくなる。
【００１６】
請求項２に記載の発明によれば、絶縁低下箇所探索装置を採用したので、絶縁性能測定手段による絶縁性能の測定結果に基づき単位時間当たりの乾燥空気の吹付け領域の絶縁性能の回復が所定値以上であるか否かの判定を自動的に行うことができ、電気回路における湿潤による絶縁低下の箇所を特定するための時間を短縮することができる。
【００１７】
請求項３に記載の発明によれば、乾燥空気供給手段は、乾燥空気の吹付け領域を拡大および縮小可能な吹出し口を有しているので、最初に乾燥空気の吹付け領域を拡大し広範囲で不具合箇所を特定し、その後、乾燥空気の吹付け領域を縮小することにより、不具合箇所の特定が容易となり、探索時間のさらなる短縮が可能となる。
【００１８】
請求項４に記載の発明によれば、乾燥空気を吹付けている領域が絶縁低下している箇所であることを知らせる音響部と警報出力手段の少なくともいずれかが接続されているので、不注意による絶縁低下箇所の見落としを確実に回避でき、装置の信頼性を高めることができる。
【図面の簡単な説明】
【００１９】
【図１】本発明の実施の形態に係わる絶縁低下箇所探索装置のブロック図である。
【図２】図１の絶縁低下箇所探索装置の配線図である。
【図３】図１の絶縁低下箇所探索装置からの乾燥空気の供給による各種電気回路の絶縁性能の変化を示す特性図である。
【図４】図１の絶縁低下箇所探索装置を用いて絶縁低下箇所の探索を行う交流電気回路図である。
【図５】本発明の実施の形態に係わる絶縁低下箇所探索方法の手順を示すフローチャートである。
【発明を実施するための形態】
【００２０】
つぎに、この発明の実施の形態について、図面を用いて詳しく説明する。
【００２１】
図１ないし図５は、本発明の実施の形態を示しており、とくに電力供給事業者における各種電気回路に適用した場合を示している。図２は、診断対象設備５０における各種電気回路のうち運用中の交流回路Ａと、運用中の直流回路Ｂと、停電中の交流および直流回路Ｃに適用した場合を示している。絶縁低下箇所探索を行う絶縁低下箇所探索装置１は、３つの各回路Ａ〜Ｃのうちのいずれか１つの回路の絶縁低下箇所探索を行う機能を有する。
【００２２】
図１に示すように、絶縁低下箇所探索装置１は、主として乾燥空気供給手段としてのドライヤー１０と、絶縁性能測定手段１５と、絶縁低下箇所特定手段１６と、音響部２６と、警報出力手段２９を有している。ドライヤー１０は、乾燥空気Ｋを生成するための電気ヒータを有している。ドライヤー１０は、商用電源からの電力を利用して乾燥空気Ｋを生成し、乾燥空気Ｋを診断対象設備５０の電気回路Ａ〜Ｃに向けて吹付けることが可能となっている。ドライヤー１０は、乾燥空気Ｋの吹付け領域を拡大および縮小可能な吹出し口１１を有している。
【００２３】
ドライヤー１０には、開口面積の異なる２種類の吹出し口１１がそれぞれ装着可能となっている。開口面積の大きな吹出し口１１は、乾燥空気Ｋの供給領域を拡大する際に用いられ、開口面積の小さな吹出し口１１は、乾燥空気Ｋの供給領域を縮小する際に用いられる。この実施の形態においては、ドライヤー１０は、開口面積の異なる２種類の吹出し口１１を有しており、探索に適した吹出し口１１に交換することが可能となっている。ドライヤー１０は、スイッチ１２を有しており、スイッチ１２をオンとすることにより、診断対象設備５０への乾燥空気Ｋの吹付けが可能となっている。また、ドライヤー１０は、乾燥空気Ｋの吹付け領域の拡大および縮小に応じて乾燥空気の供給風量を最適（一定）とする風量調整機能を有している。
【００２４】
図２に示すように、絶縁低下箇所探索装置１を構成する各機器は、ドライヤー１０を除き、制御ボックス１４内に収納されている。制御ボックス１４には、商用電源に接続される電源端子１７が設けられている。また、制御ボックス１４には、各電気回路Ａ〜Ｃについての絶縁性能に関する測定信号Ｓ１〜Ｓ３が入力される信号入力端子１８が設けられている。ドライヤー１０は、継電器２７を介して電源端子１７に接続されている。継電器２７は、ドライヤー１０のスイッチ１２によってオンオフ制御されるようになっており、スイッチ１２のオン操作によって継電器２７がオンとなり、電源端子１７からの電力が継電器２７を介してドライヤー１０に供給されるようになっている。
【００２５】
信号入力端子１８には、アナログデジタル変換器（Ａ／Ｄ）２１が接続されている。アナログデジタル変換器２１は、各電気回路Ａ〜Ｃからのアナログ信号である測定信号Ｓ１〜Ｓ３をデジタル信号に変換する機能を有している。アナログデジタル変換器２１の出力側には、マイクロプロセッサ（ＭＰＵ：中央処理装置）２２が接続されている。マイクロプロセッサ２２は、入力された各電気回路Ａ〜Ｃからの測定信号Ｓ１〜Ｓ３の演算処理を行う機能を有している。マイクロプロセッサ２２には、記憶装置２３が接続されている。記憶装置２３は、マイクロプロセッサ２２によって処理された情報を記憶する機能を有している。この実施の形態においては、アナログデジタル変換器２１と、マイクロプロセッサ２２と、記憶装置２３が、図１の絶縁性能測定手段１５と絶縁低下箇所特定手段１６を構成している。
【００２６】
図２に示すように、マイクロプロセッサ２２の出力側には、入出力インターフェース（Ｉ／Ｏ）２４が接続されている。入出力インターフェース２４には、動作表示器（ＬＣＤ）２５と、音響部２６と、継電器２７と、警報出力手段２８が接続されている。動作表示器２５は、液晶などを用いた表示器から構成されており、例えば各電気回路Ａ〜Ｃから測定信号Ｓ１〜Ｓ３に基づく絶縁性能に関する測定値を表示する機能を有している。音響部２６は、ドライヤー１０によって乾燥空気Ｋを吹付けている領域が絶縁低下している箇所であることを音声で知らせる機能を有している。継電器２７は、入出力インターフェース２４を介してマイクロプロセッサ２２にドライヤー１０が稼働中である旨の信号を出力する機能を有している。すなわち、マイクロプロセッサ２２は、ドライヤー１０の動作と連動する継電器２７を介してドライヤー１０が稼働しているか否かを判定する機能を有している。警報出力手段２８は、入出力インターフェース２４からの信号によって動作する警報出力回路２８から構成されており、ドライヤー１０によって乾燥空気Ｋを吹付けている領域が絶縁低下している箇所であることを外部に電気信号として出力する機能を有する。警報出力手段２８からの出力信号は、出力端子２９から外部に出力される。
【００２７】
図２における電気回路Ａは、通電中の交流回路を示しており、絶縁トランス５１の出力側には、配線用遮断器（ＭＣＣＢ）５３が接続されている。絶縁トランス５１と配線用遮断器５３との間には、零相変流器５２（ＺＣＴ）が設けられている。零相変流器５２は、絶縁性能の低下に伴う漏洩電流Ｉを検出する機能を有しており、この漏洩電流Ｉに対応する測定信号Ｓ１が絶縁低下箇所探索装置１の信号入力端子１８に入力可能となっている。この実施の形態においては、配線用遮断器５３を遮断動作させることなく、すなわち電気回路Ａを停電させることなく、電気回路Ａの絶縁低下箇所探索が可能となっている。
【００２８】
図２における電気回路Ｂは、通電中の直流回路を示しており、直流電源装置６０の出力側には、配線用遮断器（ＭＣＣＢ）６１が接続されている。直流電源装置６０と配線用遮断器６１との間からは、正極対地間電位と負極対地間電位とが取り出され、これらの電位に対応する測定信号Ｓ２が絶縁低下箇所探索装置１の信号入力端子１８に入力可能となっている。この実施の形態においては、配線用遮断器６１を遮断動作させることなく、すなわち電気回路Ｂを停電させることなく、電気回路Ｂの絶縁低下箇所探索が可能となっている。
【００２９】
図２における電気回路Ｃは、停電中の直流回路または交流回路を示しており、直流電源装置または所内変圧器７０の出力側には、配線用遮断器（ＭＣＣＢ）７１が接続されている。この実施の形態においては、配線用遮断器７１を遮断した状態で、すなわち電気回路Ｂを停電させた状態で、電気回路Ｃの絶縁低下箇所探索が可能となっている。電気回路Ｃの絶縁低下箇所探索時には、配線用遮断器７１の出力側に絶縁抵抗測定器７２が接続され、この絶縁抵抗測定値に対応する測定信号Ｓ３が絶縁低下箇所探索装置１の信号入力端子１８に入力可能となっている。
【００３０】
図３は、乾燥空気Ｋの吹付けによる各種電気回路Ａ〜Ｃの絶縁性能の変化を示す特性図を示している。図３に示すように、絶縁低下箇所以外への乾燥空気Ｋの吹付けの場合は、交流回路、直流回路、停電状態の交流または直流回路のいずれにも、絶縁性能の変化は生じない。つぎに、絶縁低下箇所への乾燥空気Ｋの吹付けの場合は、時間の経過に伴い、交流回路、直流回路、停電状態の交流または直流回路のいずれにも、絶縁性能の変化が生じることになる。すなわち、交流回路では、単位時間Ｔ１、Ｔ２、Ｔ３のそれぞれで一定値以上の漏洩電流の低下が生じ、絶縁性能が回復していることがわかる。直流回路では、単位時間Ｔ１、Ｔ２、Ｔ３のそれぞれで一定値以上のＤＣ差圧電圧の低下が生じ、絶縁性能が回復していることがわかる。同様に、停電状態の交流または直流回路でも、単位時間Ｔ１、Ｔ２、Ｔ３のそれぞれで一定値以上の絶縁抵抗が上昇し、絶縁性能が回復していることがわかる。
【００３１】
図４は、絶縁低下箇所探索装置１を用いて通電中の交流電気回路における絶縁低下箇所の探索を行う一例を示している。図４に示すように、変圧器５１の出力側の配線用遮断器５３に接続されている複数の継電器Ｘを有する交流回路において、絶縁低下箇所が生じている場合は、例えば５つの範囲を探索して、絶縁低下箇所を特定することが可能である。まず、点線で囲まれた範囲１へドライヤー１０による乾燥空気Ｋを吹付け、単位時間における絶縁性能が回復するか否かを確認する。ここで、絶縁性能が回復しない場合は、点線で囲まれた別の範囲２へ乾燥空気Ｋを吹付け、単位時間における絶縁性能が回復するか否かを確認する。範囲２への乾燥空気Ｋの吹付けにより、範囲２における単位時間における絶縁性能が回復した場合は、範囲２内に絶縁低下箇所があるので、さらに、範囲２を３つの領域に分けて絶縁低下箇所を特定することになる。
【００３２】
点線で囲まれた範囲３〜範囲５のそれぞれに精度よく乾燥空気Ｋを吹付ける場合は、吹出し口１１を開口面積の小さなものに交換する。乾燥空気Ｋの供給領域を縮小させる吹出し口１１への交換後は、範囲３へ乾燥空気Ｋを吹付け、単位時間における絶縁性能が回復するか否かを確認する。乾燥空気Ｋの吹付によって範囲３の絶縁性能が回復しない場合は、点線で囲まれた別の範囲４へ乾燥空気Ｋを吹付け、単位時間における絶縁性能が回復するか否かを確認する。範囲４の絶縁性能が乾燥空気Ｋの吹付によって回復しない場合は、さらに範囲５へ乾燥空気Ｋを吹付け、単位時間における絶縁性能が回復するか否かを確認する。ここで、乾燥空気Ｋの吹付によって範囲５の絶縁性能が単位時間内に回復した場合は、範囲５が絶縁低下箇所であることが特定される。このように、最初は乾燥空気Ｋの吹付け範囲を広くし、その後、乾燥空気Ｋの吹付け範囲を狭くすることにより、絶縁低下箇所の特定が容易となる。
【００３３】
つぎに、絶縁低下箇所探索装置１を用いた絶縁低下箇所探索方法における手順および作用について説明する。
【００３４】
図５は、診断対象設備５０のうちの例えば通電中の交流電気回路Ａを対象とした絶縁低下箇所探索方法を示している。図５のステップ３１においては、絶縁低下箇所探索装置１と交流電気回路Ａとの接続、測定準備などが行われる。つぎに、ステップ３２に進み、交流回路Ａからの測定信号Ｓ１に基づき絶縁性能である漏洩電流の測定が開始される。ステップ３３では、ステップ３２で測定された漏洩電流の記憶値Ｉ０´が記憶装置２３に記憶される。つぎに、ステップ３４に進み、継電器２７からの信号に基づき、ドライヤー１０が運転中であるか否かがマイクロプロセッサ２２によって判断される。ここで、ドライヤー１０が運転中でないと判断された場合は、ステップステップ３３に戻る。ステップ３４において、ドライヤー１０が運転中であると判断された場合は、ステップ３５に進み、単位時間（例えば３０秒）が経過したか否かが判断される。
【００３５】
ステップ３５において、単位時間が経過していないと判断された場合は、再度単位時間の経過が判定され、単位時間が経過するまでステップ３６に進めなくなる。ステップ３５において、単位時間が経過していると判断された場合は、ステップ３６に進み、漏洩電流が測定される。そして、ステップ３７においては、記憶値Ｉ０´−測定値Ｉ０の結果が所定値（例えば０．２ｍＡ）以上であるか否かが判断される。ここで、記憶値Ｉ０´−測定値Ｉ０の結果が所定値未満であると判断された場合は、ステップ３８に進み、ドライヤー１０が運転中であるか否かが判断される。ステップ３８において、ドライヤー１０が運転中であると判断された場合は、ステップ３３に戻る。
【００３６】
ステップ３７において、記憶値Ｉ０´−測定値Ｉ０の結果が所定値以上であると判断された場合は、ステップ３９に進み、音響部２６と警報出力手段２８による警報出力および動作表示（ＬＥＤ）、記録表示（液晶）が行われる。そして、ステップ４０に進み、ドライヤー１０が運転中止されるとともに、絶縁測定データが記憶され、ステップ４１で絶縁低下箇所探索のための測定が完了する。
【００３７】
図５は、例えば通電中の交流電気回路Ａを対象とし、漏洩電流を測定することにより絶縁低下箇所を探索する場合を示しているが、通電中の直流回路Ｂを対象とした場合は、直流対地間電圧の差電圧を測定することにより絶縁低下箇所の探索が可能である。また、停電中の交流回路および直流回路Ｃを対象とした場合は、絶縁抵抗値を測定することにより絶縁低下箇所の探索が可能となる。
【００３８】
このように、絶縁低下箇所探索装置１は、絶縁低下箇所探索の対象となる通電中の電気回路Ａ、Ｂの場合は、乾燥空気Ｋの吹付け領域の絶縁性能を測定結果に基づき、絶縁低下箇所の特定が可能となるので、電気回路Ａ、Ｂを分割または停電させることなく、電気回路Ａ、Ｂにおける湿潤による絶縁低下の箇所を容易に特定することができる。これにより、絶縁低下の箇所を特定するのに必要な時間を短縮することができ、絶縁低下に対する対応を迅速に行うことができる。
【００３９】
また、従来では、絶縁低下の箇所の特定に多くの時間を必要としたので、絶縁低下の箇所の探索中に湿潤状態が回復し、不具合箇所が不明となる場合が生じていたが、乾燥空気Ｋの供給により直ちに絶縁低下の箇所の探索を開始することができ、絶縁低下箇所探索の対象となる電気回路Ａ〜Ｃの不具合箇所を見つけやすくなる。
【００４０】
さらに、乾燥空気供給手段としてのドライヤー１０は、乾燥空気Ｋの吹付け領域を拡大および縮小可能な吹出し口１１を有しているので、最初に乾燥空気Ｋの吹付け領域を拡大し広範囲で不具合箇所を特定し、その後、乾燥空気Ｋの吹付け領域を縮小することにより、不具合箇所の特定が容易となり、探索時間のさらなる短縮が可能となる。また、乾燥空気Ｋを供給している領域が絶縁低下している箇所であることを知らせる音響部２６と警報出力手段２８の少なくともいずれかが接続されているので、不注意による絶縁低下箇所の見落としを確実に回避でき、絶縁低下箇所探索装置１の信頼性を高めることができる。
【００４１】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、電気供給事業者などの電気設備についての電気回路を対象としたが、例えば製造設備の電気回路や電気器具などの電気回路も対象とすることが可能である。また、乾燥空気Ｋは、電気ヒータを有するドライヤー１０からの供給に限定されず、他の熱源を利用して供給する構成としてもよい。さらに、この実施の形態においては、２種類の吹出し口１１を交換することにより、乾燥空気Ｋの吹出し領域の拡大および縮小を可能にしているが、１つの吹出し口１１で乾燥空気Ｋの吹出し領域の拡大および縮小を可能とする構成としてもよい。
【符号の説明】
【００４２】
１                絶縁低下箇所探索装置
１０              ドライヤー（乾燥空気供給手段）
１１              吹出し口
１２              スイッチ
１５              絶縁性能測定手段
１６              絶縁低下箇所特定手段
２６              音響部
２８              警報出力手段
Ａ                通電中の交流回路（電気回路）
Ｂ                通電中の直流回路（電気回路）
Ｃ                停電中の交流または直流回路（電気回路）
Ｋ                乾燥空気
Ｓ１〜Ｓ３        測定信号
【図１】
2014048261.tif 000003
【図２】
2014048261.tif 000004
【図３】
2014048261.tif 000005
【図４】
2014048261.tif 000006
【図５】
2014048261.tif 000007